(57)【特許請求の範囲】
【請求項１】
定期的に放送される定常放送サービスのチャンネルと不定期に放送される臨時放送サービスのチャンネルとを混在させて送信する放送事業者の複数で放送サービスが形成された送信信号を受信し、前記定常放送サービスと前記臨時放送サービスとの複数チャンネルの中から所望のチャンネルを選択して受信する放送受信装置において、
前記送信信号を受信部で受信して前記臨時放送サービスの放送有無を検出すると共に、前記臨時放送サービスの放送事業者を特定する臨時放送有無検出部と、
前記臨時放送サービスの受信を選択指令するための臨時放送キーと、
前記臨時放送キーが操作され、前記臨時放送有無検出部によって前記臨時放送サービスの放送が有ると判定されたときに、前記臨時放送サービスを聴視し得る状態とし、前記臨時放送サービスの放送が無いと判定されたときに前記臨時放送サービスが無い旨の報知を行い得るように制御する制御手段と、
前記制御手段によって聴視し得る状態にされた臨時放送サービスに対応する放送事業者以外の臨時放送サービスが送信されているか否かを検索する検索手段と、
前記検索手段で検索された臨時放送サービスが有ったときに、前記臨時放送サービスが有る旨の報知を行い得る報知手段とを具備することを特徴とする放送受信装置における臨時放送サービスの受信制御装置。
【請求項２】
前記受信部は、無線電波による送信信号を受けるように構成することを特徴とする請求項１に記載の放送受信装置における臨時放送サービスの受信制御装置。
【請求項３】
前記受信部は、電気伝達や光伝達によって有線線路に流れる送信信号を受けるように構成することを特徴とする請求項１に記載の放送受信装置における臨時放送サービスの受信制御装置。
【請求項４】
前記報知手段は、画像モニタによる画面表示および／または音声モニタによる放音で行い得るように構成することを特徴とする請求項１に記載の放送受信装置における臨時放送サービスの受信制御装置。
【請求項５】
前記制御手段に基づく報知は、画像モニタによる画面表示、および／または音声モニタによる放音で行い得るように構成することを特徴とする請求項１に記載の放送受信装置における臨時放送サービスの受信制御装置。
【発明の詳細な説明】
【０００１】
【発明の属する技術分野】
本発明は、放送受信装置における臨時放送サービスの受信制御装置に関する。
【０００２】
【従来の技術】
定期的に放送される定常放送サービスのチャンネルと不定期に放送される臨時放送サービスのチャンネルとが混在して形成された送信信号を衛星波、地上波等の電波として送信、またはケーブルＴＶ等の電気伝達や光ケーブル等の光伝達に対応する有線線路に送信される送信信号を受信部で受信し、所望の定常放送サービスと臨時放送サービスの中から所望のチャンネルを選択して視聴し得る放送受信装置が広く普及している。
【０００３】
近年になって、ＢＳデジタル放送と称される形態の放送サービスが出現し、これによれば、非常に進歩したデジタル多重方式により１系統の送信信号の中に膨大な数のチャンネル情報を包含できるようになっている。
【０００４】
この膨大なチャンネルは、定期的に放送される定常放送サービスのチャンネルと不定期に放送される臨時放送サービスのチャンネルとが多くの放送事業者に対して割り当てられている。
【０００５】
臨時放送サービスとは、臨時編成で行われるサービスであり、大きな事故や災害等の緊急報道番組で利用される。これは、本来の定常放送サービスの編成サービスはそのままにし、そのビットレートを低減して得られた余裕帯域に新たに臨時チャンネルを形成することによって行われる。このために、当該の臨時チャンネルでは定常的な放送サービスは行われず、１か月に数回程度の頻度で実施され、かつ実施の日時については全くの未確定な状態で実施の準備がされている。
【０００６】
ＢＳデジタル放送においては、放送サービスのチャンネル数が膨大であるために、従前のようなアナログ方式のＴＶ放送の場合と同様の感覚でもって受信チャンネルを選択して行うことは難かしく、多数の放送番組を一覧的に表示するＥＰＧと称される電子番組ガイドを用いて希望番組の選択を行うようにしていて、このＥＰＧのデータは本来の送信信号に多重化して埋め込まれていて、臨時放送サービスの内容は盛り込まれておらず、定常放送サービスの内容のみが表現されている。
【０００７】
また、臨時放送サービスを開始する場合には、当該臨時放送サービスの放送事業者の有する定常放送サービスの番組中にアナウンスやスーパー等でユーザーに報知されるようになっているので、この報知内容を見たユーザーが臨時放送サービスのチャンネル番号データを例えば３桁の数字データとして入力してダイレクトに選局することによって希望の臨時放送サービスを視聴することができる。
【０００８】
【発明が解決しようとする課題】
従来の放送受信装置は、臨時放送サービスが開始されている旨の報知を、定常放送サービスの画面に表示しているので、これを見たユーザーが該当の臨時放送サービスのチャンネルデータ（例えば、数字の３桁）を入力する操作を手動で行なうことによってユーザーが視聴し得るので、このための操作負担をユーザーに強いることになってしまう。
【０００９】
また、大規模な事件や災害等が発生したときの緊急報道番組が臨時放送サービスとして行われている場合には、当該の放送事業者の他の事業者も同種の緊急報道番組が行われている可能性が高い。
【００１０】
しかし、臨時放送サービスの存在が、電子番組データに反映されているという保証が無いので、ユーザーは定常放送サービスの受信中にアナウンス等の報知を受けなければ、放送事業者が定常放送サービスを行っているか否かの判断ができず、一回その放送事業者の定常放送サービスを行っているチャンネルを受信し、その放送内で臨時放送チャンネルがサービス開始されているか否かの判定を行い、この判定によって臨時放送サービスの存在が確認された後に、改めてそのチャンネル番号を入力することによって希望の臨時放送サービスを視聴することができ、このような一連の手順を踏むことになるので操作性が非常に劣るものであった。
【００１１】
そこで、本発明の目的は、臨時放送サービスが実施されていることを通常放送サービスを受信しなくてもユーザーに報知することができ、定常放送サービスと臨時放送サービスを形成する多数のチャンネルの中から希望する臨時放送サービスのチャンネルを迅速に選択して聴視することができる放送受信装置における臨時放送サービスの受信制御装置を提供することにある。
【００１２】
【課題を解決するための手段】
前記課題を解決するために、本発明による放送受信装置における臨時放送サービスの受信制御装置は、次に記載するような特徴的な構成を採用している。
【００１４】
（１）定期的に放送される定常放送サービスのチャンネルと不定期に放送される臨時放送サービスのチャンネルとを混在させて送信する放送事業者の複数で放送サービスが形成された送信信号を受信し、前記定常放送サービスと前記臨時放送サービスとの複数チャンネルの中から所望のチャンネルを選択して受信する放送受信装置において、
前記送信信号を受信部で受信して前記臨時放送サービスの放送有無を検出すると共に、前記臨時放送サービスの放送事業者を特定する臨時放送有無検出部と、
前記臨時放送サービスの受信を選択指令するための臨時放送キーと、
前記臨時放送キーが操作され、前記臨時放送有無検出部によって前記臨時放送サービスの放送が有ると判定されたときに、前記臨時放送サービスを聴視し得る状態とし、前記臨時放送サービスの放送が無いと判定されたときに前記臨時放送サービスが無い旨の報知を行い得るように制御する制御手段と、
前記制御手段によって聴視し得る状態にされた臨時放送サービスに対応する放送事業者以外の臨時放送サービスが送信されているか否かを検索する検索手段と、
前記検索手段で検索された臨時放送サービスが有ったときに、前記臨時放送サービスが有る旨の報知を行い得る報知手段とを具備する放送受信装置における臨時放送サービスの受信制御装置。
【００１５】
（２）前記（１）の受信部は、無線電波による送信信号を受けるように構成する臨時放送サービスの受信制御装置。
【００１６】
（３）前記（１）の受信部は、電気伝達や光伝達によって有線線路に流れる送信信号を受けるように構成する放送受信装置における臨時放送サービスの受信制御装置。
【００１７】
（４）前記（１）の制御手段に基づく報知は、画像モニタによる画面表示、および／または音声モニタによる放音で行い得るように構成する放送受信装置における臨時放送サービスの受信制御装置。
【００１８】
（５）前記（１）の報知手段は、画像モニタによる画面表示および／または音声モニタによる放音で行い得るように構成する放送受信装置における臨時放送サービスの受信制御装置。
【００１９】
【発明の実施の形態】
以下、本発明の一実施の形態について図面を用いて詳細に説明する。図１は本発明の実施の形態による放送受信装置における臨時放送サービスの受信制御装置の概略回路構成を示すブロック回路図である。この形態は、ＢＳデジタル放送を受信し、予め設定された特定番組の予約記録を行うことができるビデオテープレコーダに本発明を適用したもので装置全体を制御するための制御部１が「ＣＰＵとＲＡＭとＲＯＭ」によって構成されている。
【００２０】
ＢＳデジタル放送を受信するためのパラボラアンテナ２が接続された受信部３は、制御部１からの制御指令によって受信チャンネルの選択が行われ、その受信出力は制御部１によって適正に制御される信号処理部４に入力される。
【００２１】
制御部１には、制御部１で適正に制御される画像モニタ６と音声モニタ７が接続され、信号処理部４によって復元された画像信号に基づく画面が画像モニタ６に表され、信号処理部４によって復元された音声信号に基づく音声が音声モニタ７から発せられる。
【００２２】
信号処理部４は、受信部３によって受信された信号から番組特定データPSＩと番組配列データSIを生成する回路を含んで構成され、動作開始に伴って番組特定データPSＩの信号処理動作が開始され、これと同時的に番組配列データSIの信号処理動作が開始され、このときに得られた番組配列データSIの内のイベント情報テーブルに記憶したイベントＩＤとサービスＩＤを確認し、NIT信号受信がなされ、確認されたイベントＩＤとサービスＩＤに基づいてサービスＩＤのＴＳ  ＩＤ周波数を取得し、受信周波数を設定し、そのときのストリーム抽出がなされて各コンポーネントのデコードが行われ希望画像と希望音声の出力を得るように構成される。
【００２３】
このようにして信号処理部４によって得られた番組特定データPSＩと番組配列データSIは、制御部１に入力され電子番組データEPG作り出され、この電子番組データEPGが、画像モニタ６に選択的に入力される。画像モニタ部６には平生は信号処理部４からの画像信号が入力されていて、必要に応じて電子番組データEPGによる電子番組ガイドが画面表示される。
【００２４】
制御部１に接続されるキー操作部５は、通常選局動作や音声モードの選択動作等々の本来の放送受信装置の有している基本的な動作の指令を与えるための複数の操作指令キーを含んで構成されると共に、臨時放送キー５ａ、検索キー５ｂ、選択キー５ｃ、アップキー５ｄおよびダウンキー５ｅが設けられている。
【００２５】
臨時放送キー５ａは、臨時放送サービスの受信を選択指令するためのキーで、検索キー５ｂは、制御部１等によって聴視し得る状態にされた臨時放送サービスに対応する放送事業者以外の臨時放送サービスが送信されているか否かを検索する指令を与えるためのキーである。
【００２６】
選択キー５ｃは、電子番組データEPGに基づく電子番組の一覧が表示されたときにいずれかの番組を選択するためのキーであり、アップキー５ｄとダウンキー５ｅは選局やサービス項目の選択をアップ／ダウン形式で選択するためのキーである。
【００２７】
制御部１には、臨時放送有無検出部８とサービスリストデータ９が接続され、この臨時放送有無検出部８は、送信信号を受信部３で受信して信号処理部４で信号処理したときに臨時放送サービスの放送有無を検出すると共に、該当臨時放送サービスの放送事業者を特定するための回路で、サービスリストデータ９は、多数の受信チヤンネルの内容を一覧的に格納したデータである。
【００２８】
臨時放送有無検出部８による検出結果に基づいて制御部１から画像モニタ６に選択的に出力される表示データD1によって、臨時放送サービスが有る旨の画像情報が表示され、これと同時的に制御部１から音声モニタ７に選択的に出力される音声データD2によって、臨時放送サービスが有る旨の音声情報が必要に応じて放音される。
【００２９】
サービスリストデータ９の格納内容は、例えば図２に概念的に示す格納データ９ａのように、「チャンネル番号、放送局名または放送局ＩＤ、サービスタイプおよびＴＳのＩＤ」の各項目のデータとして格納され、具体例として放送事業者Ａの有する定常放送サービスは、チャンネル番号の１０１，１０２，１０３の３つがあり、それぞれのサービスタイプがデジタルＴＶサービスとされ、それぞれにＴＳのＩＤが設定されている。
【００３０】
また、放送事業者Ａの臨時放送サービスのチャンネル番号は、１０９であって、サービスタイプが臨時映像サービスとされ、そのＴＳのＩＤが設定されている。以下同様に放送事業者Ｂ、Ｃ・・・についても各種データが設定されている。
【００３１】
このように構成された本形態の放送受信装置における臨時放送サービスの受信制御装置の全体動作を説明するに先立ち、キー操作部５の臨時放送キー５ａが押圧されたときの動作を図３に示すフローチャートを用いて説明する。臨時放送サービスの受信中に臨時放送キー５ａを押圧した場合には第１ステップａ１第２ステップａ２、第３ステップａ３、・・・第ｎステップａｎに示すように、同一の放送事業者に複数の臨時放送チャンネルが存在する場合は次の臨時放送サービスのチャンネルに移行し、無い場合には本来の定常放送サービスのチャンネルに戻される。
【００３２】
つまり、臨時放送キー５ａの押圧の操作を複数回行うことによって、同一の放送事業者の定常放送サービスと臨時放送サービスがサイクリックに切り替わり、一例として放送事業者Ａの有するチャンネルが、１０１、１０８、１０９、＊＊＊と切り替わるのである。なお、図３の例は放送事業者Ａに２つの臨時放送サービスのチャンネルが存在する場合である。
【００３３】
一方、臨時放送サービスの表示中にキー操作部５のアップキー５ｄまたはダウンキー５ｅを押圧操作した場合には、サービスリストデータ９（図１と図２参照）の格納内容に基づいて他の放送事業者が行っている臨時放送サービスのチャンネルの検索を制御部１等によって行うことにより、アップキー５ｄとダウンキー５ｅを押圧操作することによって図４に示すフローチャートのステップｂ２、ｂ３、ｂ４・・・ｂ５のように臨時放送サービスのチャンネルだけのアップ／ダウン選局を行え、このときに臨時放送サービスが停止中の場合には自動的にスキップされる。
【００３４】
また、アップキー５ｄとダウンキー５ｅを押圧操作することによってステップｂ１、ｂ６、ｂ７、ｂ８、ｂ９の順に定常放送サービスのチャンネルだけのアップ／ダウン選局を行える（図４に示す破線部分は臨時放送キー５ａの押圧操作による第１ないし第４遷移ｃ１ないしｃ４であり、実線部は、アップキー５ｄとダウンキー５ｅの押圧操作による遷移である）。
【００３５】
一例として、定常放送サービスのチャンネルの若番号から順に１０１、１０２、１４１、１４２・・・１９３に移行された後に最初の１０１に戻され以下同様にサイクリックに遷移される。また、臨時放送サービスのチャンネルの若番号から順に１０８、１０９、１４９・・・１９９に移行された後に最初の１０８に戻され以下同様にサイクリックに遷移されるのである。
【００３６】
従って、放送受信装置における臨時放送サービスの受信制御装置に対して電源供給がなされ、所定のイニシャライズ処理がなされた後に臨時放送キー５ａを押圧操作すると、図５に示すフローチャートのステップＳ１で定常放送受信中？の判定がなされ、Ｎｏの場合には、ステップＳ２に進んでサービスリストデータ９の内容から臨時放送サービスのチャンネルが検索され、次のステップＳ３に進んで、臨時放送サービスが存在するか？の判定がなされる。
【００３７】
このステップＳ３でＮｏの場合には、ステップＳ４に進んで定常放送サービスのチャンネルを受信して提示、即ち正規の画像と音声が画像モニタ６と音声モニタ７に供給されると共に、必要に応じて表示データD1と音声データD2のそれぞれによる報知が行われて終了とされる。
【００３８】
一方、ステップＳ３でＹｅｓの場合には、ステップＳ５に進んで所定の受信処理が行われた後に、ステップＳ６に進んで放送中？の判定がなされ、Ｎｏの場合には先程のステップＳ４が同様に実行され、定常放送サービスのチャンネルを受信して提示、即ち正規の画像と音声が画像モニタ６と音声モニタ７に供給されると共に、必要に応じて表示データD1と音声データD2のそれぞれによる報知が行われて終了とされる。
【００３９】
一方、ステップＳ６でＹｅｓの場合には、ステップＳ７に進んで臨時放送サービスの提示、即ち臨時放送サービスのチャンネルの正規の画像と音声が画像モニタ６と音声モニタ７に供給されると共に、必要に応じて表示データD1と音声データD2のそれぞれによる報知が行われて終了とされる。
【００４０】
さて、前述のステップＳ１でＹｅｓの場合には、ステップＳ８に進んでサービスリストデータ９の内容から同一の放送事業者の有する臨時放送サービスのチャンネルを検索し、次のステップＳ９に進んで臨時放送サービスが存在するか？の判定がなされ、Ｎｏの場合には、ステップＳ１０に進んで、臨時放送サービスのチャンネルの受信が行われていない旨のメッセージが、画像モニタ６と音声モニタ７に表示データD1と音声データD2のそれぞれを供給することによって行われ、報知された後に終了とされる。
【００４１】
一方、ステップＳ９でＹｅｓの場合には、ステップＳ１１に進んで所定の受信処理がなされた後に、ステップＳ１２に進んで放送中？の判定がなされ、Ｎｏの場合には先程のステップＳ１０が同様に実行され、臨時放送サービスのチャンネルの受信が行われていない旨のメッセージが、画像モニタ６と音声モニタ７に表示データD1と音声データD2のそれぞれに供給することによって行われ、報知された後に終了とされる。
【００４２】
ステップＳ１２でＹｅｓの場合には、ステップＳ１３に進んで臨時放送サービスの提示、即ち臨時放送サービスのチャンネルの正規の画像と音声が画像モニタ６と音声モニタ７に供給されると共に、必要に応じて表示データD1と音声データD2のそれぞれによる報知が行われて終了とされる。
【００４３】
なお、本形態は、無線電波による送信信号を受信部３で受けるように構成されているが、ケーブルＴＶ等による電気伝達や光伝達によって有線線路に流れる送信信号を受けるように構成してもよく、制御手段に基づく報知は、画像モニタによる画面表示、と音声モニタによる放音の両方で行っているが、いずれか一方であってもよいことは勿論である。
【００４４】
【発明の効果】
以上の説明で明らかなように、本発明によれば、ユーザーが臨時放送サービスの有る旨の検出ができた場合には、１動作でもって、即ち、臨時放送キーの押圧操作でもって希望する臨時放送サービスのチャンネルを迅速に選択して聴視することができ、また、アップキーとダウンキーの押圧操作でもって臨時放送サービスの検索を行うことができるので甚だ便利である。
【００４５】
従って、本発明によれば定常放送サービスと臨時放送サービスを形成する多数のチャンネルの中から希望する臨時放送サービスのチャンネルを迅速に選択して聴視することができる臨時放送サービスの受信制御装置を有する放送受信装置を提供することができる。
【図面の簡単な説明】
【図１】本発明の実施の形態による放送受信装置における臨時放送サービスの受信制御装置の概略回路構成を示すブロック回路図である。
【図２】図１に示される臨時放送サービスの受信制御装置におけるサービスリストデータの格納状態を概念的に一覧して示す図である。
【図３】図１に示される臨時放送サービスの受信制御装置における臨時放送キーを押圧操作することによって選局遷移する動作を説明するためのフローチャートである。
【図４】図１に示される臨時放送サービスの受信制御装置における定常放送と臨時放送を臨時放送キーを押圧操作することによって選局遷移する動作を説明するためのフローチャートである。
【図５】図１に示される臨時放送サービスの受信制御装置の要部動作を説明するためのフローチャートである。
【符号の説明】
１    制御部
２    パラボラアンテナ
３    受信部
４    信号処理部
５    キー操作部
５ａ  臨時放送キー
５ｂ  検索キー
５ｃ  選択キー
５ｄ  アップキー
５ｅ  ダウンキー
６    画像モニタ
７    音声モニタ
８    臨時放送有無検出部
９    サービスリストデータ
９ａ  格納データ
【図１】
0003776758.tif 000002
【図２】
0003776758.tif 000003
【図３】
0003776758.tif 000004
【図４】
0003776758.tif 000005
【図５】
0003776758.tif 000006